(57)【要約】 【課題】  本発明は、カラーフィルムを使用することにより、隠れる色と現れる色との印刷色の組み合わせにより、その内容の理解を深めることができるようにし、これにより子供向けの学習ツールに利用することができるようにするものである。 【解決手段】  一の田の字形の透明な色フィルタにおいて、赤色と橙色との組み合わせに成る透明な色フィルタ１を枠台紙２に貼り付け、別の田の字形の透明な色フィルタにおいては、青色と緑色との組み合わせに成る透明な色フィルタ３を別の枠台紙４に貼り付け、円形の透明な色フィルタにおいては、赤色，橙色，青色又は緑色のいずれか１色の透明な色フィルタ５を枠台紙６に貼り付けて成る印刷文字を隠したり現したりする表現方法である。【選択図】    図１
2018060052.tif 000002
【特許請求の範囲】
【請求項１】
一の田の字形の透明な色フィルタにおいて、赤色と橙色との組み合わせに成る透明な色フィルタを枠台紙に貼り付け、別の田の字形の透明な色フィルタにおいては、青色と緑色との組み合わせに成る透明な色フィルタを別の枠台紙に貼り付け、円形の透明な色フィルタにおいては、赤色，橙色，青色又は緑色のいずれか１色の透明な色フィルタを枠台紙に貼り付けて成る印刷文字を隠したり現したりする表現方法。
【発明の詳細な説明】
【技術分野】
【０００１】
本発明は、印刷文字を隠したり現したりする表現方法に関するものである。
【背景技術】
【０００２】
人が色彩を認識する際に、色の反射が透明な色フィルタを被せることによって光を吸収し色の通過を遮るというカラーフィルタの効果を利用して、文字と背景の色とを同化させることにより文字を隠し、また文字と背景の色を区別させることにより文字を現すという現象を実現しようとするものである。
【０００３】
即ち、隠れる色を組み合わせることによって文字と背景を、また現れる色を組み合わせによって文字と背景を、それぞれ並列的に使用して印刷表示内容を構成した際に、隠れる文字と現れる文字とを組み合わせた文章や数字を現すことを実現しようとするものである。
【０００４】
また、文字を隠す際には文字と背景に色相環の近接色を使用して、文字と背景の色とを同化させ、また文字を現す際には文字と背景に色相環の近接色を使用せずに文字と背景の色とを区別させるようにするものである。
【０００５】
また、赤や橙の透明な色フィルタは中波長域（緑系）を吸収し、また青や緑の透明な色フィルタは長波長域（赤系）を吸収するから、赤・橙の２色や青・緑の２色を同時に被せる透明な色フィルタとして使用することもできるようにするものである。
【０００６】
そこで、幼児年令や小学生低学年にあっては、文字を読んで理解する方法は様々あるところ、先行する技術文献としては、次のようなものがある。
【先行技術文献】
【特許文献】
【０００７】
【特許文献１】特公昭５７−３７８７１号公報
【特許文献２】特許第４７９６７６３号公報
【特許文献３】特許第５９４７４４２号公報
【特許文献４】特開２０１５−１７４４０９号公報
【０００８】
特許文献１は、ある表示のみを包囲する区域の地を、表示の視認を可能に保ちつつ、一つの補色対の一方の色に着色した書面と他方の色で透明に一様に着色されたチェックシートとを組にし、チェックシートの透視下における区域の暗転した地色に特定の表示を混合させる暗記能率増進学習具の文献例である。
【０００９】
特許文献２は、シアンのインク濃度が１５〜〜３５％の色の色地と、イエローインクとマゼンタインクとの混合色の文字とが印刷された特定領域を有する媒体とを具備し、赤色フィルタを重ねた際に色地の模様の視認性を高めることができるようにした文献例である。
【００１０】
特許文献３は、一部の文字等を同系色で濃度の異なる色で印刷表示した印刷物に、複数の色フィルタを組み合わせることで、文字を隠したり表現することが記載されている文献例である。
【００１１】
特許文献４は、文字、図柄等を印刷表示した媒体にフィルタを重ねることで、文字等を隠したり表現したりすることが記載されている文献例である。
【発明の概要】
【発明が解決しようとする課題】
【００１２】
そこで、本発明は、カラーフィルムを使用することにより、隠れる色と現れる色との印刷色の組み合わせにより、その内容の理解を深めることができるようにし、これにより子供向けの学習ツールなどに利用することができるようにするものである。
【課題を解決するための手段】
【００１３】
田の字形の透明な色フィルタ１においては、赤色Ａと橙色Ｂとの組み合わせから成る透明な色フィルタ１を枠台紙２に貼り付ける。
【００１４】
また、別の田の字形の透明な色フィルタ３においては、青色Ｃと緑色Ｄとの組み合わせから成る透明な色フィルタ３を枠台紙４に貼り付ける。
【００１５】
さらに、円形の透明な色フィルタ５においては、赤色Ａ，橙色Ｂ，青色Ｃ又は緑色Ｄのいずれか１色の透明な色フィルタ５を枠台紙６に貼り付ける。
【００１６】
前記各透明な色フィルタ１，３，５においては、文字・記号等が隠れる色と現れる色との組み合わせから成るものである。
【発明の効果】
【００１７】
本発明は、読み取り可能なカラーフィルムを使用することにより、隠れる色と現れる色との印刷色の組み合わせを実現して、内容の理解を深めることができるのである。
【００１８】
したがって、比較的単純な構成態様によって、子供向けの学習ツールなどに確実かつ有効に利用することができるのである。
【図面の簡単な説明】
【００１９】
【図１】田の字形の透明な色フィルタで、赤色（Ａ）と橙色（Ｂ）の２色の透明な色フィルタ
【図２】田の字形の透明な色フィルタで、青色（Ｃ）と緑色（Ｄ）の２色の透明な色フィルタ
【図３】円形の透明な色フィルタ
【発明を実施するための形態】
【００２０】
田の字形又は円形のカラーフィルムを使用することにより、隠れる色と現れる色との印刷色の組み合わせを起こし、表現する内容の理解を深めるようにするもので、子供向けの学習ツールなどに利用することができ、その実施のための形態は様々にできるのである。
【実施例】
【００２１】
１．田の字形の透明な色フィルタの場合（図１・図２参照）
【００２２】
（１）赤（Ａ）と橙（Ｂ）との２色の組み合わせの透明な色フィルタ１を使用し、この色フィルタは枠台紙２に貼り付ける。（図１）
【００２３】
（２）青（Ｃ）と緑（Ｄ）の２色の組み合わせの透明な色フィルタ３を使用し、この色フィルタは枠台紙４に貼り付ける。（図２）
【００２４】
２．円形の透明な色フィルタの場合（図３参照）
【００２５】
（１）赤（Ａ）又は橙（Ｂ）又は青（Ｃ）又は緑（Ｄ）のいずれか１色の透明な色フィルタ５を使用し、この色フィルタは枠台紙６に貼り付ける。（図３）
【００２６】
３．前記図１・図２と前記図３の各透明な色フィルタを使用したときに、「隠れる」と「現れる」との印刷内容の組み合わせの態様は、次のとおりである。
【００２７】
使用する印刷用紙は、白色度８５％程度を使用したオフセット印刷で、ＣＭＹＫ４色印刷の場合である。
【００２８】
（１）赤色・橙色の透明な色フィルタ
【００２９】
ａ．隠れる色の代表的な印刷色の組み合わせは、次のとおりである。
【表１】
2018060052.tif 000003
【００３０】
ｂ．現れる色の組み合わせは、次のとおりである。
【表２】
2018060052.tif 000004
【００３１】
（２）青・緑の透明な色フィルタは、次のとおりである。
【００３２】
ａ．隠れる色の代表的な色の組み合わせ
【表３】
2018060052.tif 000005
【００３３】
ｂ．現れる色の組み合わせは、次のとおりである。
【表４】
2018060052.tif 000006
【符号の説明】
【００３４】
１                            透明な色フィルタ
２                            枠台紙
３                            透明な色フィルタ
４                            枠台紙
５                            透明な色フィルタ
６                            枠台紙
【図１】
2018060052.tif 000007
【図２】
2018060052.tif 000008
【図３】
2018060052.tif 000009